(57)【要約】【課題】機能性を向上する。【解決手段】紙幣処理装置１は、それぞれ設定された券種の紙幣を収納する複数の紙幣カセット１８と、券種を認識する鑑別部１６と、出金時に紙幣カセット１８から繰り出され鑑別部１６において券種不明券であると認識された紙幣を収納する収納専用カセット１９と、紙幣カセット１８に設定されている券種毎に、出金時に収納専用カセット１９へ搬送された券種不明券の枚数を含むカウンタを示すカウンタリストＣＮＴＬを記憶する記憶部２１と、出金時に券種不明券を収納専用カセット１９へ搬送した場合、カウンタリストＣＮＴＬ１における、該券種不明券の繰り出し元の紙幣カセット１８に設定されている券種の枚数カウンタを増加させるカウンタ制御部２０とを設ける。【選択図】図２
2020046827.tif 000002
【特許請求の範囲】
【請求項１】
それぞれ設定された種類の媒体を収納する複数の収納庫と、
前記媒体の種類を認識する鑑別部と、
受渡処理時に前記収納庫から繰り出され前記鑑別部において前記媒体の種類が不明な媒体種類不明券であると認識された前記媒体を収納するリジェクト庫と、
前記収納庫に設定されている前記媒体の種類毎に、前記受渡処理時に前記リジェクト庫へ搬送された前記媒体種類不明券の枚数を含むカウンタを示すカウンタリストを記憶する記憶部と、
前記受渡処理時に前記媒体種類不明券を前記リジェクト庫へ搬送した場合、前記カウンタリストにおける、該媒体種類不明券の繰り出し元の前記収納庫に設定されている前記媒体の種類のカウンタを増加させるカウンタ制御部と
を有する媒体処理装置。
【請求項２】
前記受渡処理時に前記媒体種類不明券を前記リジェクト庫へ搬送した場合、使用者へ通知する通知部
をさらに有する請求項１に記載の媒体処理装置。
【請求項３】
前記リジェクト庫は、前記鑑別部において外部へ受け渡すべきではないと鑑別されたものの前記媒体の種類は認識された媒体種類確定券と、前記鑑別部において外部へ受け渡すべきではないと鑑別され前記媒体の種類が不明な前記媒体種類不明券とを収納する
請求項１に記載の媒体処理装置。
【請求項４】
前記カウンタリストは、前記媒体種類確定券の枚数と前記媒体種類不明券の枚数とを合算して前記媒体の種類毎にカウントする
請求項３に記載の媒体処理装置。
【請求項５】
前記カウンタリストは、前記媒体種類確定券の枚数と前記媒体種類不明券の枚数とを分けて前記媒体の種類毎にカウントする
請求項３に記載の媒体処理装置。
【請求項６】
前記カウンタリストは、前記受渡処理時に前記媒体種類確定券を前記リジェクト庫へ搬送した場合、前記媒体種類確定券の繰り出し元の前記収納庫に設定されている前記媒体の種類と前記鑑別部が認識した前記媒体の種類とが同一である場合の前記媒体の枚数と、前記媒体種類確定券の繰り出し元の前記収納庫に設定されている前記媒体の種類と前記鑑別部が認識した前記媒体の種類とが同一でない場合の前記媒体の枚数とを分けて前記媒体の種類毎にカウントする
請求項３に記載の媒体処理装置。
【請求項７】
前記媒体は、紙幣であり、
前記媒体の種類は、前記紙幣の券種である
請求項１に記載の媒体処理装置。
【請求項８】
前記媒体の種類は、前記紙幣の金種である
請求項７に記載の媒体処理装置。
【請求項９】
前記収納庫は、それぞれ設定された種類の券種の紙幣を収納し、
前記鑑別部は、前記紙幣の前記券種を認識し、
前記リジェクト庫は、出金時に前記収納庫から繰り出され前記鑑別部において前記券種が不明な券種不明券であると認識された前記紙幣を収納し、
前記記憶部は、前記収納庫に設定されている前記券種毎に、前記出金時に前記リジェクト庫へ搬送された前記券種不明券の枚数を含むカウンタを示す前記カウンタリストを記憶し、
前記カウンタ制御部は、前記出金時に前記券種不明券を前記リジェクト庫へ搬送した場合、前記カウンタリストにおける、該券種不明券の繰り出し元の前記収納庫に設定されている前記券種のカウンタを増加させる
請求項１に記載の媒体処理装置。
【発明の詳細な説明】
【技術分野】
【０００１】
本発明は媒体処理装置に関し、例えば金融機関の窓口に設置され、紙幣に関する取引処理を行う紙幣処理装置（いわゆるテラーマシン）に適用して好適なものである。
【背景技術】
【０００２】
従来、紙幣処理装置としては、金融機関において職員（いわゆるテラー）や顧客等の使用者に操作されることにより、使用者との間で現金の入金や出金等のような種々の取引処理を行うものが広く普及している。紙幣処理装置には、例えば使用者から紙幣を受け取る入金部と、使用者に紙幣を引き渡す出金部と、紙幣を所定の搬送路に沿って搬送する搬送部と、紙幣を鑑別する鑑別部と、紙幣を一時的に保留する一時保留部と、紙幣を収納する紙幣カセットと、再利用すべきでないと鑑別された紙幣を収納するリジェクト庫とが設けられている。
【０００３】
そのような紙幣処理装置においては、出金時において券種不明券をリジェクト庫へ搬送するものがある（例えば、特許文献１参照）。そのような紙幣処理装置においては、出金時においてリジェクト紙幣が発生した際、該リジェクト紙幣が券種不明券ではないと鑑別部で認識された場合は、図９に示す従来のカウンタリストＣＮＴＬ３０１における、認識鑑別結果に応じた券種の枚数カウンタを１だけ増加させる。一方、該リジェクト紙幣が券種不明券であると鑑別部で認識された場合、紙幣処理装置においては、カウンタリストＣＮＴＬ３０１（図９）における券種不明券の枚数カウンタを１だけ増加させることが考えられる。
【先行技術文献】
【特許文献】
【０００４】
【特許文献１】特開２００５−９２４２１号公報
【発明の概要】
【発明が解決しようとする課題】
【０００５】
しかしながらそのような場合、カウンタリストＣＮＴＬ３０１の券種不明券の枚数カウンタがカウントされているため、リジェクト庫を行員が手動で精査するときに、紙幣処理装置内の紙幣の枚数を突き合わせるために全ての紙幣カセットも手動で精査する必要があったため、行員の手間を要し、機能性が低下するおそれがあった。
【０００６】
本発明は以上の点を考慮してなされたもので、機能性を向上し得る媒体処理装置を提案しようとするものである。
【課題を解決するための手段】
【０００７】
かかる課題を解決するため本発明の媒体処理装置においては、それぞれ設定された種類の媒体を収納する複数の収納庫と、媒体の種類を認識する鑑別部と、受渡処理時に収納庫から繰り出され鑑別部において媒体の種類が不明な媒体種類不明券であると認識された媒体を収納するリジェクト庫と、収納庫に設定されている媒体の種類毎に、受渡処理時にリジェクト庫へ搬送された媒体種類不明券の枚数を含むカウンタを示すカウンタリストを記憶する記憶部と、受渡処理時に媒体種類不明券をリジェクト庫へ搬送した場合、カウンタリストにおける、該媒体種類不明券の繰り出し元の収納庫に設定されている媒体の種類のカウンタを増加させるカウンタ制御部と設けるようにした。
【０００８】
本発明は、リジェクト庫へ搬送した媒体種類不明券の媒体の種類を、繰り出し元の収納庫に設定されている媒体の種類で補正することができ、精査を行う際の行員の手間を削減できる。
【発明の効果】
【０００９】
本発明によれば、リジェクト庫へ搬送した媒体種類不明券の媒体の種類を、繰り出し元の収納庫に設定されている媒体の種類で補正することができ、精査を行う際の行員の手間を削減でき、かくして機能性を向上し得る媒体処理装置を実現できる。
【図面の簡単な説明】
【００１０】
【図１】紙幣処理装置の内部構成を示す左側面図である。
【図２】紙幣処理装置の機能構成を示すブロック図である。
【図３】第１の実施の形態による出金処理手順を示すフローチャートである。
【図４】第１の実施の形態によるカウンタリストを示す図である。
【図５】第２の実施の形態による出金処理手順を示すフローチャートである。
【図６】第２の実施の形態によるカウンタリストを示す図である。
【図７】第３の実施の形態による出金処理手順を示すフローチャートである。
【図８】第３の実施の形態によるカウンタリストを示す図である。
【図９】従来のカウンタリストを示す図である。
【発明を実施するための形態】
【００１１】
以下、発明を実施するための形態（以下実施の形態とする）について、図面を用いて説明する。
【００１２】
［１．第１の実施の形態］
［１−１．紙幣処理装置の構成］
図１に示すように、第１の実施の形態による紙幣処理装置１は、例えば金融機関に設置される現金処理装置（いわゆるテラーマシン）であり、金融機関の職員や顧客（以下これを使用者と呼ぶ）の操作により、現金（特に紙幣）に関する入金取引や出金取引等の各種取引を行う。以下では、紙幣処理装置１のうち使用者が対峙する正面側を前側とし、その反対を後側とし、前側から見た場合の左及び右をそれぞれ左側及び右側とし、さらに上側及び下側を定義して説明する。
【００１３】
紙幣処理装置１には、筐体１０の内部に、制御部１１、入金部１２、第１出金部１３ａ、第２出金部１３ｂ、搬送部１５、鑑別部１６、一時保留部１７、複数の紙幣カセット１８及び収納専用カセット１９が設けられている。
【００１４】
制御部１１は、紙幣処理装置１の全体を統括的に制御している。この制御部１１は、図示しないＣＰＵ（Central Processing Unit）を中心に構成され、図示しないＲＯＭやフラッシュメモリ等から所定のプログラムを読み出して実行することにより、図示しない上位の上位制御部等と連携しながら、入金処理や出金処理等のような種々の処理を行う。また制御部１１は、内部にＲＡＭ（Random Access Memory）、ハードディスクドライブやフラッシュメモリ等でなる記憶部１４を有しており、この記憶部１４に種々の情報やプログラム等を記憶させる。また記憶部１４は、図４に示すカウンタリストＣＮＴＬ１を記憶する。カウンタリストＣＮＴＬ１は、収納専用カセット１９へ搬送されたリジェクト紙幣の券種毎の枚数のカウンタを示している。カウンタリストＣＮＴＬ１における枚数のカウンタは、収納専用カセット１９へ搬送された紙幣のうち、鑑別部１６において認識された券種のリジェクト紙幣の枚数と、鑑別部１６において券種が認識されなかったリジェクト紙幣の繰り出し元の紙幣カセット１８である繰出元カセットに設定されている券種のリジェクト紙幣の枚数とを合算した値になっている。換言すればカウンタリストＣＮＴＬ１は、券種確定券の枚数と券種不明券の枚数とを合算して券種毎にカウントする。具体的にカウンタリストＣＮＴＬ１は、出金時に収納専用カセット１９へ搬送されたリジェクト紙幣のうち、鑑別部１６において「券種０」と認識されたリジェクト紙幣の枚数と、券種不明券のうち繰り出し元が「券種０」の券種の紙幣カセット１８から繰り出されたリジェクト紙幣の枚数との合算の枚数が０枚であり、鑑別部１６において「券種１」と認識されたリジェクト紙幣の枚数と、券種不明券のうち繰り出し元が「券種１」の券種の紙幣カセット１８から繰り出されたリジェクト紙幣の枚数との合算の枚数が１枚であることを示している。
【００１５】
入金部１２は、筐体１０の上側に配置されており、集積された紙幣が使用者により集積空間内に投入されると、これを１枚ずつに分離する分離処理を行って繰り出し、搬送部１５に引き渡す。第１出金部１３ａは、入金部１２の前方に配置されており、搬送部１５から紙幣が搬送されてくると紙幣を集積空間内へ放出して集積させた後、シャッタを開放して使用者に紙幣を取り出させる。第２出金部１３ｂは、第１出金部１３ａの前方に配置されており、搬送部１５から紙幣が搬送されてくると紙幣を集積空間内へ放出して集積させた後、該シャッタを開放して使用者に紙幣を取り出させる。以下では第１出金部１３ａ及び第２出金部１３ｂをまとめて出金部１３とも呼ぶ。
【００１６】
搬送部１５は、筐体１０内の各部を結ぶ搬送路Ｙに沿って配置された各種ローラやベルト、並びにこれらを駆動するためのギアやモータ等により構成されている。また搬送部１５は、搬送路Ｙの分岐点に図示しない切替器を適宜配置している。この搬送部１５は、制御部１１の制御に基づき、搬送路Ｙに沿って紙幣を搬送すると共に、切替器により該紙幣の搬送先を切り替える。因みに図１では、搬送部１５を構成する部品の一部のみを模式的に示している。
【００１７】
鑑別部１６は、入金部１２の後方下側であって、搬送部１５の搬送路Ｙ上に配置されている。この鑑別部１６は、種々のセンサを有しており、搬送部１５により搬送されてくる紙幣の券種、真偽、正損、走行状態などを基に、取り扱うことのできる取扱可能紙幣であるか否かを鑑別し、その鑑別結果を制御部１１へ送出する。また鑑別部１６は、紙幣における損傷の程度を基に、再利用することができる再利可能紙幣であるか否かを鑑別し、その鑑別結果を制御部１１へ送出することもできる。例えば紙幣が斜行（スキュー）している場合、鑑別部１６は、該紙幣の券種を認識することができない可能性があり、そのような場合、該紙幣は券種不明券であるとの鑑別結果を制御部１１へ送出する。
【００１８】
一時保留部１７は、第２出金部１３ｂの下側に配置されており、搬送部１５により搬送されてきた紙幣を内部に一時的に収納して保留し、また保留している紙幣を１枚ずつ搬送部１５へ繰り出す。
【００１９】
筐体１０内の下部には、収納専用カセット１９が最も前側で、その後ろに紙幣カセット１８ａ、１８ｂ、１８ｃ、１８ｄ及び１８ｅが前後方向に並んで設けられている。以下では紙幣カセット１８ａ、１８ｂ、１８ｃ、１８ｄ及び１８ｅをまとめて紙幣カセット１８とも呼ぶ。各紙幣カセット１８は、内部に紙幣を集積した状態で収納する集積空間と、搬送部１５から搬送されてきた紙幣を該集積空間内へ放出して集積させる放出機構と、集積空間内に集積されている紙幣を１枚ずつに分離して繰り出し搬送部１５に引き渡す分離機構等を有している。この紙幣カセット１８は、搬送部１５から搬送されてくる紙幣（正常紙幣）を上下方向に重ねて内部に収納し、また収納している紙幣を１枚ずつ繰り出して搬送部１５へ受け渡す。またこの紙幣カセット１８は、券種毎に分類して紙幣を収納する。すなわち１つの紙幣カセット１８は、１種類の券種の紙幣を収納する。ここで券種とは、一万円券、五千円券、二千円券や千円券等の金種区分の他、現在発行中の紙幣及び過去に発行されていた旧デザインの紙幣を区別する現旧区分や、正常な紙幣である正券及び汚れや損傷の激しい損券を区別する正損区分を基に定められる。
【００２０】
収納専用カセット１９は、内部に紙幣を収納する集積空間や、搬送部１５から搬送されてきた紙幣を該集積空間内へ放出して集積させる放出機構等を有している。この収納専用カセット１９は、鑑別部１６において再利用不可能と鑑別された紙幣（リジェクト紙幣）が搬送部１５により搬送されてくると、内部に収納する。また収納専用カセット１９は、収納時や出金時のリジェクト紙幣の搬送先であるため、全券種の紙幣を集積する可能性がある。このため行員は、収納専用カセット１９に集積された紙幣を手で取り出して目視で券種を判断し手動で枚数を計数することにより、収納専用カセット１９の精査を行う。
【００２１】
かかる構成において紙幣処理装置１は、鑑別部１６による紙幣の鑑別結果等をもとに制御部１１が各部を制御して、入金処理、収納処理及び出金処理等を行う。
【００２２】
例えば使用者が紙幣処理装置１との間で入金取引を行う場合、制御部１１は、上位制御部（図示せず）等と連携しながら、入金部１２のシャッタを開いて紙幣を投入させる。入金部１２は、紙幣が投入されると、シャッタを閉じてから紙幣を１枚ずつに分離して搬送部１５へ引き渡す。搬送部１５は、受け取った紙幣を搬送すると共に鑑別部１６により鑑別させ、得られた鑑別結果を制御部１１へ通知する。これに応じて制御部１１は、各紙幣の搬送先を決定する。このとき制御部１１は、鑑別部１６において正常と鑑別された紙幣（いわゆる正券）を一時保留部１７へ搬送して一時的に保留させる一方、取引すべきでないと鑑別された紙幣（いわゆる損券や偽券等）を出金部１３へ搬送して行員に返却する。
【００２３】
その後制御部１１は、操作表示部（図示せず）を介して使用者に入金金額を確定させ、一時保留部１７に保留している紙幣を鑑別部１６へ搬送させてその券種及び損傷の程度等を鑑別させ、その鑑別結果を取得する。続いて制御部１１は、紙幣の損傷の程度が大きければ、これを再利用すべきでないリジェクト紙幣として、収納専用カセット１９へ搬送して収納させる。また制御部１１は、紙幣の損傷の程度が小さければ、これを再利用すべき紙幣とし、その券種に応じた紙幣カセット１８へ搬送して収納させる。
【００２４】
一方、例えば使用者が紙幣処理装置１との間で出金取引を行う場合、制御部１１は、上位制御部（図示せず）等と連携しながら、操作表示部（図示せず）を介して所定の操作入力を受け付けた後、出金すべき金額に応じた紙幣を紙幣カセット１８から繰り出させる。続いて制御部１１は、この紙幣を搬送部１５に引き渡し、該搬送部１５により鑑別部１６へ搬送して鑑別させた上で第１出金部１３ａ又は第２出金部１３ｂへ搬送する。第１出金部１３ａ又は第２出金部１３ｂは、シャッタを開いてこの紙幣を使用者に取り出させる。
【００２５】
［１−２．紙幣処理装置の機能構成］
ここで、紙幣処理装置１における後述する出金処理に関係する基本的な機能を、図２に機能ブロック図として示す。紙幣処理装置１の制御部１１（図１）は、所定の出金処理プログラムを実行することにより、カウンタ制御部２０、記憶部２１及び通知部２２の各機能ブロックを実現する。カウンタ制御部２０は、制御部１１及び記憶部１４と対応しており、カウンタリストＣＮＴＬ１における、収納専用カセット１９へ搬送されたリジェクト紙幣の券種の枚数カウンタを１だけ増加させる。記憶部２１は、記憶部１４と対応しており、収納専用カセット１９へ搬送されたリジェクト紙幣の券種毎の枚数のカウンタを示すカウンタリストＣＮＴＬ１を記憶する。通知部２２は、制御部１１と対応しており、出金時においてリジェクト紙幣のうち券種不明券を収納専用カセット１９へ搬送した場合、出金完了後に精査が必要である旨を示す券種不明券収納通知を上位制御部（図示せず）へ行う。
【００２６】
［１−３．出金処理］
次に、紙幣処理装置１による出金処理の具体的な処理手順について、図３に示すフローチャートを用いて詳細に説明する。制御部１１は、使用者が出金取引を行う場合、記憶部１４から出金処理プログラムを読み出して実行することにより図３に示す出金処理手順ＲＴ１を開始し、ステップＳＰ１へ移る。なお出金取引の開始時においてカウンタリストＣＮＴＬ１の全ての枚数カウンタの値は０になっている。ステップＳＰ１において制御部１１は、要求金額に応じた枚数分の紙幣を出金部１３へ集積させることにより出金が完了したか否かを判定する。ここで否定結果が得られると、このことは出金が未だ完了していないことを表し、このとき制御部１１はステップＳＰ２へ移る。
【００２７】
ステップＳＰ２において制御部１１は、要求金額に応じた券種毎の紙幣枚数に応じて各紙幣カセット１８から紙幣を１枚分繰り出して鑑別部１６へ搬送し、ステップＳＰ３へ移る。ステップＳＰ３において制御部１１は、鑑別部１６により紙幣を鑑別させて鑑別結果を取得し、ステップＳＰ４へ移る。
【００２８】
ステップＳＰ４において制御部１１は、鑑別結果がリジェクト紙幣であった否かを判定する。ここで否定結果が得られると、このことは紙幣がリジェクト紙幣ではなく出金可能紙幣であったことを表し、このとき制御部１１はステップＳＰ５へ移る。ステップＳＰ５において制御部１１は、紙幣を鑑別部１６から出金部１３へ搬送し、ステップＳＰ１へ戻り、出金が完了するまで上述した処理を繰り返す。
【００２９】
一方ステップＳＰ４において肯定結果が得られると、このことは鑑別結果がリジェクト紙幣（出金不能紙幣）であったことを表し、このとき制御部１１はステップＳＰ６へ移る。ステップＳＰ６において制御部１１は、リジェクト紙幣が券種不明券であったか否かを判定する。ここで否定結果が得られると、このことは、収納専用カセット１９へ搬送されるリジェクト紙幣は、券種は不明ではない、すなわち券種は確定している媒体種類確定券としての券種確定券であることを表し、このとき制御部１１はステップＳＰ７へ移る。ステップＳＰ７において制御部１１は、紙幣を鑑別部１６から収納専用カセット１９へ搬送し、ステップＳＰ８へ移る。ステップＳＰ８において制御部１１は、カウンタリストＣＮＴＬ１における、鑑別部１６での鑑別処理により認識した券種の枚数カウンタをカウンタ制御部２０により１だけ増加させ、ステップＳＰ１へ戻り、出金が完了するまで上述した処理を繰り返す。具体的に制御部１１は、リジェクト紙幣（券種確定券）の券種が鑑別部１６において「券種０」であると認識された場合、カウンタリストＣＮＴＬ１における「券種０」の枚数カウンタを１だけ増加させる。
【００３０】
一方ステップＳＰ６において肯定結果が得られると、このことは、収納専用カセット１９へ搬送されたリジェクト紙幣は、券種が不明な媒体種類不明券としての券種不明券であったことを表し、このとき制御部１１はステップＳＰ９へ移る。ステップＳＰ９において制御部１１は、紙幣を鑑別部１６から収納専用カセット１９へ搬送し、ステップＳＰ１０へ移る。ステップＳＰ１０において制御部１１は、カウンタリストＣＮＴＬ１における、鑑別部１６において券種が認識できなかった券種不明券の繰り出し元の紙幣カセット１８に設定されている券種の枚数カウンタをカウンタ制御部２０により１だけ増加させ、ステップＳＰ１へ戻り、出金が完了するまで上述した処理を繰り返す。具体的に制御部１１は、券種が認識できなかったリジェクト紙幣（券種不明券）の繰り出し元の紙幣カセット１８に収納される券種が「券種０」に設定されている場合、カウンタリストＣＮＴＬ１における「券種０」の枚数カウンタを１だけ増加させる。ここで制御部１１は、鑑別部１６、紙幣カセット１８の分離機構や、搬送部１５の図示しないセンサの情報等から、紙幣の繰り出し元の紙幣カセット１８を判断する。
【００３１】
出金が完了しステップＳＰ１において肯定結果が得られると、このとき制御部１１はステップＳＰ１１へ移る。ステップＳＰ１１において制御部１１は、今回の出金取引において券種不明券を収納専用カセット１９へ１枚でも搬送したか否かを判定する。ここで肯定結果が得られると、このことは今回の出金取引において券種不明券が存在し収納専用カセット１９へ集積されたため券種不明券収納通知を行う必要があることを表し、このとき制御部１１はステップＳＰ１２へ移る。ステップＳＰ１２において制御部１１は、出金完了後に精査が必要である旨を示す券種不明券収納通知を上位制御部（図示せず）へ行い、ステップＳＰ１３へ移り出金処理手順ＲＴ１を終了する。上位制御部は、券種不明券収納通知を制御部１１から受信すると、図示しない操作表示部へ収納専用カセット１９の精査を促す通知を表示することにより、行員へ収納専用カセット１９の精査を促す。
【００３２】
一方ステップＳＰ１１において否定結果が得られると、このことは今回の出金取引において券種不明券は存在しなかったため券種不明券収納通知を行う必要はないことを表し、このとき制御部１１はステップＳＰ１２をスキップしてステップＳＰ１３へ移り出金処理手順ＲＴ１を終了する。
【００３３】
［１−４．効果等］
以上の構成において紙幣処理装置１は、出金時のリジェクト紙幣が券種不明券であり、該券種不明券を収納専用カセット１９へ収納した場合、該券種不明券の枚数が確定していない場合であっても、カウンタリストＣＮＴＬ１における、該券種不明券の繰り出し元の紙幣カセット１８に収納されるよう設定されている券種の枚数カウンタを１だけ増加させるようにした。これにより紙幣処理装置１は、カウンタリストＣＮＴＬ１における所定の券種の枚数カウンタが１だけ増加した際に、実際には重送等により券種不明券の枚数が２枚以上である可能性はあるものの、収納専用カセット１９へ搬送したリジェクト紙幣の券種毎の枚数を、繰り出し元の紙幣カセット１８に設定されている券種毎の枚数で補正することができる。かくして紙幣処理装置１は、鑑別部１６において券種が認識できなかったリジェクト紙幣を収納専用カセット１９へ収納しても、その券種及び枚数を不明にはしないようにできる。
【００３４】
このように紙幣処理装置１は、出金時のリジェクト紙幣が券種不明券であり、該券種不明券を収納専用カセット１９へ収納した場合、カウンタリストＣＮＴＬ１における、該券種不明券の繰り出し元の紙幣カセット１８に収納されるよう設定されている券種の枚数カウンタを１だけ増加させるようにした。
【００３５】
このため紙幣処理装置１は、出金完了後に、行員が収納専用カセット１９の精査を行う際に、カウンタリストＣＮＴＬ１の全ての券種の枚数カウンタの値と、実際に精査を行って収納専用カセット１９内部に収納されていた全ての紙幣の券種毎の残枚数とが一致していた場合は、券種不明券に重送が発生しておらず、カウンタリストＣＮＴＬ１における所定の券種の枚数カウンタが１だけ増加したものが、実際にも２枚以上ではなく１枚のみの券種不明券が収納されたものであり、収納専用カセット１９内部の券種毎の枚数を確定できるため、収納専用カセット１９以外の紙幣カセット１８までも精査する必要をなくすことができる。これにより紙幣処理装置１は、精査を行う際の行員の手間を削減できる。
【００３６】
ここで、券種不明券は、その枚数が不確定であるため、カウンタリストＣＮＴＬ１の全ての券種の枚数カウンタの値と、実際に精査を行って収納専用カセット１９内部に収納されていた全ての紙幣の券種毎の残枚数とが不一致になる可能性がある。このため、出金時に券種不明券を収納専用カセット１９へ搬送した場合、収納専用カセット１９の手動での精査を行員に促すことが望ましい。
【００３７】
これに対し紙幣処理装置１は、出金時に券種不明券を収納専用カセット１９へ搬送した場合、券種不明券収納通知を上位制御部へ通知するようにした。このため紙幣処理装置１は、券種不明券が収納専用カセット１９へ搬送されたため紙幣処理装置１内部において券種毎の枚数が不確定になる可能性があるために、収納専用カセット１９の精査を行う必要があることを行員に対して促すことができる。これにより紙幣処理装置１は、行員が精査の必要性を確認する手間を削減できる。
【００３８】
以上の構成によれば紙幣処理装置１は、それぞれ設定された種類の媒体としての紙幣を収納する複数の紙幣カセット１８と、媒体の種類としての券種を認識する鑑別部１６と、受渡処理時としての出金時に紙幣カセット１８から繰り出され鑑別部１６において券種が不明な券種不明券であると認識された紙幣を収納する収納専用カセット１９と、紙幣カセット１８に収納されるよう設定されている券種毎に、出金時に収納専用カセット１９へ搬送された券種不明券の枚数を含むカウンタを示すカウンタリストＣＮＴＬ１を記憶する記憶部２１と、出金時に券種不明券を収納専用カセット１９へ搬送した場合、カウンタリストＣＮＴＬ１における、該券種不明券の繰り出し元の紙幣カセット１８に設定されている券種の枚数カウンタを増加させるカウンタ制御部２０とを設けるようにした。これにより紙幣処理装置１は、収納専用カセット１９へ搬送した券種不明券の券種を、繰り出し元の紙幣カセット１８に設定されている券種で補正することができ、精査を行う際の行員の手間を削減できる。
【００３９】
［２．第２の実施の形態］
［２−１．紙幣処理装置の構成］
図１に示すように第２の実施の形態による紙幣処理装置１０１は、第１の実施の形態による紙幣処理装置１と比較して、制御部１１に代わる制御部１１１を有する点において相違するものの、他の点については同様に構成されている。制御部１１１は制御部１１と比較して、カウンタリストＣＮＴＬ１（図４）に代わる図６に示すカウンタリストＣＮＴＬ１０１を記憶している点において相違するものの、他の点については同様に構成されている。
【００４０】
カウンタリストＣＮＴＬ１０１は、カウンタリストＣＮＴＬ１（図４）と比較して、券種毎に、認識可能枚数カウンタと認識不可枚数カウンタとが設定されている。認識可能枚数カウンタは、リジェクト紙幣のうち鑑別部１６により券種が認識できた券種確定券の枚数をカウントする。認識不可枚数カウンタは、リジェクト紙幣のうち鑑別部１６により券種が認識できなかった券種不明券の枚数をカウントする。すなわちカウンタリストＣＮＴＬ１０１は、収納専用カセット１９へ搬送された紙幣のうち、鑑別部１６において認識された券種のリジェクト紙幣の枚数と、鑑別部１６において券種が認識されなかったリジェクト紙幣の繰り出し元の紙幣カセット１８に設定されている券種のリジェクト紙幣の枚数とを、分けてカウントする。換言すればカウンタリストＣＮＴＬ１０１は、券種確定券の枚数と券種不明券の枚数とを分けて券種毎にカウントする。具体的にカウンタリストＣＮＴＬ１０１は、出金時に収納専用カセット１９へ搬送されたリジェクト紙幣のうち、鑑別部１６において「券種０」と認識されたリジェクト紙幣の枚数が０枚であり、券種不明券のうち繰り出し元が「券種０」の券種の紙幣カセット１８から繰り出されたリジェクト紙幣の枚数が１枚であり、鑑別部１６において「券種１」と認識されたリジェクト紙幣の枚数が３枚であり、券種不明券のうち繰り出し元が「券種１」の券種の紙幣カセット１８から繰り出されたリジェクト紙幣の枚数が２枚であることを示している。
【００４１】
［２−２．出金処理］
次に、紙幣処理装置１０１による出金処理手順ＲＴ１０１について、図３と対応するステップに同一符号を付した図５に示すフローチャートを用いて説明する。出金処理手順ＲＴ１０１は、出金処理手順ＲＴ１（図３）と比較して、ステップＳＰ８に代わるステップＳＰ１０８と、ステップＳＰ１０に代わるステップＳＰ１１０とが設けられている点において相違するものの、他の点については同様に構成されている。
【００４２】
ステップＳＰ１〜ステップＳＰ６において紙幣処理装置１０１の制御部１１１は、出金処理手順ＲＴ１（図３）と同様の処理を行い、ステップＳＰ６において否定結果が得られると、このとき制御部１１１はステップＳＰ７へ移り、紙幣を鑑別部１６から収納専用カセット１９へ搬送し、ステップＳＰ１０８へ移る。ステップＳＰ１０８において制御部１１１は、カウンタリストＣＮＴＬ１０１における、鑑別部１６での鑑別処理により認識した券種の認識可能枚数カウンタをカウンタ制御部２０により１だけ増加させ、ステップＳＰ１へ戻り、出金が完了するまで上述した処理を繰り返す。
【００４３】
一方ステップＳＰ６において肯定結果が得られると、制御部１１１はステップＳＰ９へ移り、紙幣を鑑別部１６から収納専用カセット１９へ搬送し、ステップＳＰ１１０へ移る。ステップＳＰ１１０において制御部１１１は、カウンタリストＣＮＴＬ１０１における、繰り出し元の紙幣カセット１８の券種における、認識不可枚数カウンタをカウンタ制御部２０により１だけ増加させ、ステップＳＰ１へ戻り、出金が完了するまで上述した処理を繰り返す。
【００４４】
このように紙幣処理装置１０１は、券種が不明でない場合と不明な場合とで、認識可能枚数カウンタと認識不可枚数カウンタとの別のカウンタに枚数を加算するようにした。このため紙幣処理装置１０１は、カウンタリストＣＮＴＬ１０１を行員に提示することにより、券種不明券の繰り出し元の紙幣カセット１８を行員にひと目で認識させることができる。
【００４５】
その他の点においても、第２の実施の形態による紙幣処理装置１０１は、第１の実施の形態による紙幣処理装置１と同様の作用効果を奏し得る。
【００４６】
［３．第３の実施の形態］
［３−１．紙幣処理装置の構成］
図１に示すように第３の実施の形態による紙幣処理装置２０１は、第１の実施の形態による紙幣処理装置１と比較して、制御部１１に代わる制御部２１１を有する点において相違するものの、他の点については同様に構成されている。制御部２１１は制御部１１と比較して、カウンタリストＣＮＴＬ１（図４）に代わる図８に示すカウンタリストＣＮＴＬ２０１を記憶している点において相違するものの、他の点については同様に構成されている。
【００４７】
カウンタリストＣＮＴＬ２０１は、カウンタリストＣＮＴＬ１（図４）と比較して、券種毎に、繰出元認識同一枚数カウンタと繰出元認識非同一枚数カウンタとが設定されている。繰出元認識同一枚数カウンタは、鑑別部１６において券種が認識できたリジェクト紙幣のうち繰り出し元の紙幣カセット１８に設定されている券種と鑑別部１６が認識した券種とが同一である繰出元認識同一券の枚数をカウントする。繰出元認識非同一枚数カウンタは、鑑別部１６において券種が認識できたリジェクト紙幣のうち繰り出し元の紙幣カセット１８に設定されている券種と鑑別部１６が認識した券種とが同一でなかった繰出元認識非同一券の枚数をカウントする。すなわちカウンタリストＣＮＴＬ２０１は、鑑別部１６において券種が認識でき収納専用カセット１９へ搬送されたリジェクト紙幣のうち、繰り出し元の紙幣カセット１８に設定されている券種と鑑別部１６が認識した券種とが同一であるリジェクト紙幣の枚数と、繰り出し元の紙幣カセット１８に設定されている券種と鑑別部１６が認識した券種とが同一でなかったリジェクト紙幣の枚数とを、分けてカウントする。換言すればカウンタリストＣＮＴＬ２０１は、繰出元認識同一券の枚数と繰出元認識非同一券の枚数とを分けて券種毎にカウントする。具体的にカウンタリストＣＮＴＬ２０１は、出金時に収納専用カセット１９へ搬送されたリジェクト紙幣のうち、鑑別部１６において「券種０」と認識され且つ繰り出し元の紙幣カセット１８に設定されている券種が「券種０」のリジェクト紙幣の枚数が０枚であり、鑑別部１６において「券種０」と認識され且つ繰り出し元の紙幣カセット１８に設定されている券種が「券種０」以外のリジェクト紙幣の枚数が１枚であり、鑑別部１６において「券種１」と認識され且つ繰り出し元の紙幣カセット１８に設定されている券種が「券種１」のリジェクト紙幣の枚数が３枚であり、鑑別部１６において「券種１」と認識され且つ繰り出し元の紙幣カセット１８に設定されている券種が「券種１」以外のリジェクト紙幣の枚数が２枚であることを示している。
【００４８】
［３−２．出金処理］
次に、紙幣処理装置２０１による出金処理手順ＲＴ２０１について、図３と対応するステップに同一符号を付した図７に示すフローチャートを用いて説明する。出金処理手順ＲＴ２０１は、出金処理手順ＲＴ１（図３）と比較して、ステップＳＰ８に代わるステップＳＰ２０１、ＳＰ２０２及びＳＰ２０３が設けられている点において相違するものの、他の点については同様に構成されている。
【００４９】
ステップＳＰ１〜ステップＳＰ７において紙幣処理装置２０１の制御部２１１は、出金処理手順ＲＴ１（図３）と同様の処理を行い、ステップＳＰ２０１へ移る。ステップＳＰ２０１において制御部２１１は、繰り出し元の紙幣カセット１８に設定されている券種と、鑑別部１６が認識した券種とが同一であるか否かを判定する。ここで肯定結果が得られると、このことは、紙幣が繰出元認識同一券であることを表し、このとき制御部２１１はステップＳＰ２０２へ移る。ステップＳＰ２０２において制御部２１１は、カウンタリストＣＮＴＬ２０１における、鑑別部１６での鑑別処理により認識した券種の繰出元認識同一枚数カウンタをカウンタ制御部２０により１だけ増加させ、ステップＳＰ１へ戻り、出金が完了するまで上述した処理を繰り返す。
【００５０】
一方ステップＳＰ２０１において否定結果が得られると、このことは、紙幣が繰出元認識非同一券であることを表し、このとき制御部２１１はステップＳＰ２０３へ移る。ステップＳＰ２０３において制御部２１１は、カウンタリストＣＮＴＬ２０１における、鑑別部１６での鑑別処理により認識した券種の繰出元認識非同一枚数カウンタをカウンタ制御部２０により１だけ増加させ、ステップＳＰ１へ戻り、出金が完了するまで上述した処理を繰り返す。
【００５１】
このように紙幣処理装置２０１は、繰出元の紙幣カセット１８に設定されている券種と、鑑別部１６で認識した券種とが異なっているか否かで、繰出元認識同一枚数カウンタと繰出元認識非同一枚数カウンタとの別のカウンタに枚数を加算するようにした。このため紙幣処理装置２０１は、紙幣カセット１８に紙幣を装填する際に行員が手動で装填する場合において、設定されている券種とは異なる券種を間違って紙幣カセット１８に装填してしまったとしても、カウンタリストＣＮＴＬ２０１を行員に提示することにより、繰り出し元の紙幣カセット１８に設定されている券種とは異なる券種の紙幣が収納専用カセット１９に収納されたことを行員に認識させることができる。
【００５２】
その他の点においても、第３の実施の形態による紙幣処理装置２０１は、第１の実施の形態による紙幣処理装置１と同様の作用効果を奏し得る。
【００５３】
［４．他の実施の形態］
なお上述した第１の実施の形態においては、制御部１１が上位制御部を介し、図示しない操作表示部へ収納専用カセット１９の精査を促す通知を表示することにより、行員へ収納専用カセット１９の精査を促す場合について述べた。本発明はこれに限らず、音声を流す等、他の種々の方法で収納専用カセット１９の精査を促しても良く、また、カウンタリストＣＮＴＬ１を図示しない操作表示部へ表示させて行員に通知しても良い。また、行員に通知しても、その後の出金処理自体は継続可能であるため、行員が収納専用カセット１９の精査を行うまで、図示しない操作表示部へ収納専用カセット１９の精査を促す通知を表示し続けたり、収納専用カセット１９へ券種不明券が搬送された時間や枚数等を図示しない操作表示部へ表示し続けたりすることにより、早急に収納専用カセット１９の精査を行うことを行員に促しても良い。第２及び第３の実施の形態においても同様である。
【００５４】
また上述した第１の実施の形態においては、媒体の種類として券種毎にカウンタリストＣＮＴＬ１の枚数をカウントする場合について述べた。本発明はこれに限らず、金種毎にカウンタリストＣＮＴＬ１の枚数をカウントしても良い。第２及び第３の実施の形態においても同様である。
【００５５】
さらに上述した第１の実施の形態においては、券種毎にカウンタリストＣＮＴＬ１の枚数をカウントする場合について述べた。本発明はこれに限らず、紙幣カセット１８毎にカウンタリストＣＮＴＬ１の枚数をカウントしても良い。第２及び第３の実施の形態においても同様である。
【００５６】
さらに上述した実施の形態においては、出金時において本発明を適用する場合について述べた。本発明はこれに限らず、出金部１３へ紙幣を搬送し該出金部１３から紙幣を回収する回収時に本発明を適用しても良い。
【００５７】
さらに上述した実施の形態においては、紙幣を還流させる（リサイクルする）タイプの窓口用の現金処理機に本発明を適用する場合について述べた。本発明はこれに限らず、顧客が操作する接客部を有する現金自動取引装置にも本発明を適用しても良い。
【００５８】
さらに上述した実施の第１の形態においては、収納庫としての紙幣カセット１８と、鑑別部としての鑑別部１６と、リジェクト庫としての収納専用カセット１９と、記憶部としての記憶部２１と、カウンタ制御部としてのカウンタ制御部２０とによって、媒体処理装置としての紙幣処理装置１を構成する場合について述べた。本発明はこれに限らず、その他種々の構成でなる収納庫と、鑑別部と、リジェクト庫と、記憶部と、カウンタ制御部とによって、媒体処理装置を構成しても良い。
【産業上の利用可能性】
【００５９】
本発明は、紙幣等の紙葉状の媒体を集積し、外部から取り出させる種々の装置でも利用できる。
【符号の説明】
【００６０】
１、１０１、２０１……紙幣処理装置、１０……筐体、１１、１１１、２１１……制御部、１２……入金部、１３ａ……第１出金部、１３ｂ……第２出金部、１４……記憶部、１５……搬送部、Ｙ……搬送路、１６……鑑別部、１７……一時保留部、１８……紙幣カセット、１９……収納専用カセット、２０……カウンタ制御部、２１……記憶部、２２……通知部、ＣＮＴＬ１、ＣＮＴＬ１０１、ＣＮＴＬ２０１、ＣＮＴＬ３０１……カウンタリスト。
【図１】
2020046827.tif 000003
【図２】
2020046827.tif 000004
【図３】
2020046827.tif 000005
【図４】
2020046827.tif 000006
【図５】
2020046827.tif 000007
【図６】
2020046827.tif 000008
【図７】
2020046827.tif 000009
【図８】
2020046827.tif 000010
【図９】
2020046827.tif 000011